(57)【特許請求の範囲】
【請求項１】
車輌に搭載され、機器本体に対して収納/突出可能なディスプレーユニットを備えると共に、前記機器本体に対して着脱自在な操作パネルを備え、ディスプレーユニットの収納/突出動作時に機器本体から操作パネルに照明を行うように構成された装置であって、前記操作パネルの脱着状態を検知する手段と、該手段で操作パネルの外されたことが検知されたときに前記機器本体からの照明を停止させる制御系を備えていることを特徴とする着脱式操作パネル付ディスプレー装置。
【請求項２】
機器本体はさらに機器本体に対する操作パネルの脱着いかんにかかわらずディスプレーユニットの収納/突出動作を行ったときに警告音を発する手段を備えていることを特徴とする請求項１に記載の着脱式操作パネル付ディスプレー装置。
【発明の詳細な説明】
【技術分野】
【０００１】
本発明はディスプレー装置とりわけ着脱式操作パネル付ディスプレー装置に関する。
【背景技術】
【０００２】
車輌に搭載されるカーナビやカーテレビなどの車載用情報機器においては、表示部として薄型の液晶モニタからなるディスプレー装置（映像オーディオ装置）が組み込まれている。
この装置においては、表示部を収納するインダッシュ方式が採用され、角度変更や収納／排出を電動で行うようにしている。
ところで、車載用情報機器はＰＣ機能を有するなど高級化が進んでおり、もし盗難されたような場合には、重大な経済的損失が発生したり、重要な情報が漏れたりする危険もある。そこで、先行技術のように、機器本体またはディスプレー装置に対して操作パネルを着脱自在としたものが提案されている。
【０００３】
前記インダッシュ方式のディスプレー装置では、ディスプレー装置の収納動作中に手指を挟んだり、ぶつけたりすることがないように、注意を促す音声を発したり、ボタンなどの照明を点滅させる制御が行われるようになっており、操作パネルが着脱できるシステムにおいては、装着状態の操作パネルの側面や裏面から導光体で照明している。
しかし、従来では、操作パネルを機器本体から取り外した場合にも照明が行われるので、強い光が操作者の目を刺激し、不快感を与える問題があった。
【特許文献１】特開２００４−３４７５３号公報
【発明の開示】
【発明が解決しようとする課題】
【０００４】
本発明は前記のような問題点を解消するためになされたもので、その目的とするところは、操作パネルが機器本体に装着されている場合と操作パネルが取り外されているときでの照明条件に変化を与えて、操作者への光に不快な刺激を与えない着脱式操作パネル付ディスプレー装置を提供することにある。
【課題を解決するための手段】
【０００５】
上記目的を達成するため本発明は、車輌に搭載され、機器本体に対して収納/突出可能なディスプレーユニットを備えると共に、前記機器本体に対して着脱自在な操作パネルを備え、ディスプレーユニットの収納/突出動作時に機器本体から操作パネルに照明を行うように構成された装置であって、前記操作パネルの脱着状態を検知する手段と、該手段で操作パネルの外されたことが検知されたときに前記機器本体からの照明を停止させる制御系を備えていることを特徴としている。
【発明の効果】
【０００６】
本発明によれば、操作パネルを機器本体に取り付けた通常の状態において、ディスプレーユニットの収納/突出動作を行うときには、機器本体から操作パネルに点滅照明が行われるので、手指を挟んだりすることのないように十分注意を促すことができ、機器本体から操作パネルを取り外した状態でディスプレーユニットの収納/突出動作を行うときには、機器本体から照明が停止され、前方への強い光で操作者の目を刺激することを防止できる。
【発明を実施するための最良の形態】
【０００７】
好適には、機器本体はさらに機器本体に対する操作パネルの脱着いかんにかかわらずディスプレーユニットの収納/突出動作を行ったときに警告音を発する手段を備えている。
これによれば、機器本体から操作パネルを取り外した状態でディスプレーユニットの収納/突出動作を行ったときにも、手指を挟んだりすることのないように十分注意を促すことができる。
【実施例１】
【０００８】
以下添付図面を参照して本発明の実施例を説明する。
図１ないし図５は本発明による着脱式操作パネル付ディスプレー装置の一実施例を示しており、１は機器本体であり、マイクロコンピュータを含む制御系が組み込まれ、前面部１ａには操作パネル（ＤＣＰ）２が図示しない磁石あるいはフックの係脱などにより着脱可能に取り付けられている。この操作パネル２より上の前面部１ａにはＤＶＤディスクなどを入れる挿入口１０が設けられている。
機器本体１には操作パネル２の直上部位に電動モータを駆動源とする収納庫１bが設けられており、これに液晶モニタからなるディスプレーユニット３が収納/突出可能に設けられている。すなわち、ディスプレーユニット３は、図１のように、前記収納庫１ｂに設けた電動モータを駆動源とする駆動機構により収納庫内の収納位置と機器本体外の突出位置との間で水平スライド自在となっており、突出端位置において側縁部を軸として水平状態から所要角度まで回動自在に枢支されている。
【０００９】
前記機器本体１の前面部１ａ、ディスプレーユニット３または操作パネル２の少なくともいずれかひとつには、ディスプレーユニット３の収納/突出を行わせるための動作ボタン４が設置される。この実施例では操作パネル２に設置されている。
さらに、前面部１ａには操作パネル２を取り外すための取り外しボタン５が配置されている。もちろんこれに代え、ボタンを用いず操作パネル２を押し込んで取り付け、引っ張って取り外す形式であってもよい。
【００１０】
前記機器本体１の前面部１ａまたは操作パネル２の背面部のいずれかには操作パネル２が装着されているか否かを検知する感知スイッチ６が配置されると共に、前面部１ａの適所たとえば両側部には、光源からの光線を導いて照明する導光体７、７が配置されている。
操作パネル２には正面側に多数のボタン類１４が配置されており、かつ、背面側のたとえば両側部分には前記導光体７、７からの光を受光して全部または一部のボタンを照明する導光部体８、８が配置されており、操作パネル２内部には、図示しないが導光部体８、８に接続された点滅回路が組み込まれている。
また、機器本体１内には、基板に電子ブザーなどの警告音発生手段９が配置されている。
【００１１】
図４のように、前記機器本体１内の前記マイクロコンピュータ１１には、前記動作ボタン４に接続された収納/突出スイッチ１２と、取り外し感知スイッチ６が接続されており、前記収納/突出スイッチ１２からの信号で電動モータ１３を駆動し、ディスプレーユニット３の収納/突出動作を制御するようになっている。また、マイクロコンピュータ１１は前記導光体７、７および警告音発生手段９と接続され、収納/突出スイッチ１２および取り外し感知スイッチ６と関連して一定のプログラムで導光体７、７および警告音発生手段９を作動するようになっている。
【００１２】
図５は前記プログラムのフローチャートを示しており、動作ボタン４を操作すると、第１ステップで操作パネル２が取り外されているかを判断する。これは感知スイッチ６が操作パネル２の離脱を検知したかどうかで行われる。この第１ステップで感知スイッチ６が作動せず操作パネル２が装着されていると判断されたときには、第２ステップとして、前記導光体７、７からの光で操作パネル部点滅照明を開始すると共に、電動モータ１３が作動されてディスプレーユニット３の収納または突出が行われる。また同時に、警告音発生手段9が作動してブザーなどの警告音が発せられる。
【００１３】
これに対して、第１ステップで感知スイッチ６により操作パネル２が取り外されていると判断されたときには、第３ステップとして、警告音発生手段９が作動してブザーなどの警告音が発せられるが、前記導光体７、７には通電がなされず、電動モータ１３が作動されてディスプレーユニット３の収納または突出が行われる。
導光体７、７に通電されないため操作パネル２の導光部体８、８には光が導かれず、したがって操作パネル２を図２のように機器本体１から離間させても、導光体７、７による強い照明光が発せられないから、操作者は不快な目の刺激を受けない。
ディスプレーユニット３の収納動作は操作パネルを取り外した場合でも自動で行うモードがあるが、この時には照明を絶ってディスプレーユニット３の収納動作を行なうので、操作者に不快な強い光を出してしまうのを防ぐことが可能となる。
【図面の簡単な説明】
【００１４】
【図１】（ａ）〜（ｄ）は本発明にかかる着脱式操作パネル付ディスプレー装置の収納/突出動作を示す部分的側面図である。
【図２】本発明装置において操作パネルを取り外した状態を示す斜視図である。
【図３】本発明装置において操作パネルを装着した状態の正面図である。
【図４】本発明装置の制御系の例を示すブロック図である。
【図５】本発明装置のディスプレーユニットの収納/突出動作を説明するフローチャートである。
【符号の説明】
【００１５】
１  機器本体
２  操作パネル
３  ディスプレーユニット
６  操作パネル感知スイッチ
７  導光体
８  導光部体
９  警告音発生手段
１１  マイクロコンピュータ
１２  収納／突出スイッチ
【図１】
0004767050.tif 000002
【図２】
0004767050.tif 000003
【図３】
0004767050.tif 000004
【図４】
0004767050.tif 000005
【図５】
0004767050.tif 000006